(57)【要約】【課題】小型かつ低コストで空気清浄効果を向上することのできる空気清浄装置を提供する。【解決手段】ニクロム線５が発熱することにより、空間４内の空気が暖まり、空間４内で空気の上昇気流が発生する。すると、炭素粒子３を収容するメッシュ部材２の外部の空気が吸引され、炭素粒子３を通過して空間４内に入り込む。空気が炭素粒子３を通過する際に、炭素粒子３の吸着性能により、空気中に含まれる汚染物質が除去されて、浄化された空気が空間４内に入り込み、上昇気流に乗ってメッシュ部材２の上部の開口から放出される。【選択図】図２
2011229618.tif 000002
【特許請求の範囲】
【請求項１】
炭を含む炭部材と、
該炭部材に囲まれた発熱体と
を備える空気清浄装置。
【請求項２】
前記炭部材は、粉体、粒子、小片、またはそれらの組み合わせのいずれかの形態を有する、請求項１に記載の空気清浄装置。
【請求項３】
前記炭部材は、鉛直方向に延びる空間が形成されるようにして配置され、
前記空間に前記発熱体が設けられている、請求項１または２に記載の空気清浄装置。
【請求項４】
前記炭部材が前記発熱体に接触しないように、前記発熱体を覆うカバー部材を備える、請求項１または２に記載の空気清浄装置。
【請求項５】
前記発熱体は照明器である、請求項１〜４のいずれか一項に記載の空気清浄装置。
【発明の詳細な説明】
【技術分野】
【０００１】
この発明は、空気清浄装置に係り、特に、炭を用いた空気清浄装置に関する。
【背景技術】
【０００２】
特許文献１等に記載されるように、炭が吸着性に優れていることは公知である。この特性を利用して、炭を用いた従来の空気清浄装置が、例えば特許文献２等に記載されている。
【先行技術文献】
【特許文献】
【０００３】
【特許文献１】国際公開２００２／０９００７０号明細書
【特許文献２】特開２００９−１１２６８０号公報
【発明の概要】
【発明が解決しようとする課題】
【０００４】
しかしながら、空気清浄機能を効率的に発揮させるためには、空気清浄装置に効率的に空気を循環させる必要があるが、従来の空気清浄装置では、空気を循環させるためにファン等の部品が設けられており、このため、装置が大きくなり、コストも増加するといった問題点があった。
【０００５】
この発明はこのような問題点を解決するためになされたもので、小型かつ低コストで空気清浄効果を向上することのできる空気清浄装置を提供することを目的とする。
【課題を解決するための手段】
【０００６】
この発明に係る空気清浄装置は、炭を含む炭部材と、該炭部材に囲まれた発熱体とを備える。
前記炭部材は、粉体、粒子、小片、またはそれらの組み合わせのいずれかの形態を有してもよい。
前記炭部材は、鉛直方向に延びる空間が形成されるようにして配置され、前記空間に前記発熱体が設けられていてもよい。
前記炭部材が前記発熱体に接触しないように、前記発熱体を覆うカバー部材を備えてもよい。
前記発熱体は照明器であってもよい。
【発明の効果】
【０００７】
この発明によれば、炭を含む炭部材と、炭部材に囲まれた発熱体とを備え、発熱体がその周囲の空気を暖めることにより空気の上昇気流を生じさせ、この上昇気流が炭部材の外側の空気を吸引することにより、炭部材に空気が流通して空気が浄化されるので、小型化かつ低コストで空気清浄効果を向上することができる。
【図面の簡単な説明】
【０００８】
【図１】この発明の実施の形態１に係る空気清浄装置の全体の斜視図である。
【図２】実施の形態１に係る空気清浄装置の断面図である。
【図３】実施の形態２に係る空気清浄装置の全体の斜視図である。
【図４】実施の形態２に係る空気清浄装置の断面図である。
【発明を実施するための形態】
【０００９】
以下、この発明の実施の形態を添付図面に基づいて説明する。
実施の形態１．
この発明の実施の形態１に係る空気清浄装置の全体の斜視図を図１に示す。空気清浄装置１は、円筒状のメッシュ部材２と、メッシュ部材２に収容された炭部材である炭素粒子３と、メッシュ部材２の内部に鉛直方向に延びるように形成された円柱形状の空間４に設けられた発熱体であるニクロム線５とを備えている。ニクロム線５は、電線６を介して、電源７に接続されている。
【００１０】
メッシュ部材２は、内面部２ａ及び外面部２ｂのそれぞれの下端部同士を接続するように設けられた底面部２ｃによって下端が閉じると共に、内面部２ａの上端と外面部２ｂの上端との間は開口した形状を有している。これら内面部２ａと外面部２ｂと底面部２ｃとによって画定された収容部８内に、炭素粒子３が収容されている。尚、炭素粒子３の代わりに、メッシュ部材２のメッシュの大きさに応じた炭素粉末や炭素の小片（塊）あるいはこれらの混合物、さらには炭を含むこれらと同様の形状のものを収容してもよい。また、メッシュ部材２の形状は円筒形状でなくてもよく、内部に鉛直方向に延びる空間４を有していれば、多角柱形状であってもよい。さらに、空間４の形状も円柱形状に限定するものではなく、多角柱形状であってもよい。
【００１１】
次に、実施の形態１に係る空気清浄装置の動作を、図１及び２に基づいて説明する。
電源７によってニクロム線５に電圧をかけると、ニクロム線５が発熱することにより、空間４内の空気が暖まり、空間４内で空気の上昇気流が発生する。すると、メッシュ部材２の外部の空気、すなわち、メッシュ部材２に対して空気の上昇気流と反対側の空気が吸引され、メッシュ部材２の収容部８内に収容された炭素粒子３を通過して空間４内に入り込む。空気が炭素粒子３を通過する際に、炭素粒子３の吸着性能により、空気中に含まれる汚染物質が除去されて、浄化された空気が空間４内に入り込み、上昇気流に乗ってメッシュ部材２の上部の開口から放出される。
【００１２】
ここで、炭素粒子３に吸着される成分としては、ホルムアルデヒドやトルエン、アンモニア等の有害化学物質や、カビ臭・ペット臭のような空気中に漂う臭い成分等が挙げられる。また、炭素粒子３は、湿度が高い時には湿気を吸着し、逆に湿度が低い時には吸着されている水分を放出して周囲の空気の湿度を調整することもできる。
【００１３】
また、炭素粒子３は、メッシュ部材２の収容部８内に収容されているので、炭素粒子３が破過したら、新しい炭素粒子を入れ替えるか、あるいは、破過した炭素粒子３を加熱等で再生し、再利用することができる。
【００１４】
このように、ニクロム線５がその周囲の空気を暖めることにより空気の上昇気流を生じさせ、この上昇気流が、炭素粒子３を収容するメッシュ部材２の外側の空気を吸引することにより、炭素粒子３に空気が流通して空気が浄化されるので、小型化かつ低コストで空気清浄効果を向上することができる。
【００１５】
実施の形態２．
次に、この発明の実施の形態２に係る空気清浄装置について説明する。尚、実施の形態２において、図１及び２の参照符号と同一の符号は、同一又は同様な構成要素であるので、その詳細な説明は省略する。
この発明の実施の形態２に係る空気清浄装置は、実施の形態１に対して、メッシュ部材の形状を変更したものである。
【００１６】
この発明の実施の形態２に係る空気清浄装置の全体の斜視図を図３に示す。空気清浄装置１０は、円柱形状を有するコップ状のメッシュ部材１２と、メッシュ部材１２に収容された炭部材である炭素粒子３と、メッシュ部材１２の内部に設けられた発熱体であるニクロム線５と、炭素粒子３がニクロム線５に接触しないようにニクロム線５を覆うカバー部材１１とを備えている。カバー部材１１は、内部に炭素粒子３が入り込むことができない大きさの複数の孔を有し、カバー部材１１の内部と外側との間で空気の出入りができるような構成であることが好ましい。その他の構成は、実施の形態１と同じである。
【００１７】
電源７によってニクロム線５に電圧をかけると、ニクロム線５が発熱することによりニクロム線５の周辺の空気が暖まり、図４に示されるように、空気の上昇気流となって炭素粒子３間の間隙を上昇する。すると、実施の形態１と同様の原理で、メッシュ部材１２の外部の空気が吸引され、メッシュ部材１２に収容された炭素粒子３を通過しながらメッシュ部材１２内に入り込む。メッシュ部材１２内に入り込んだ空気は、上昇気流に乗ってメッシュ部材２の上部から放出される。この過程で、空気は炭素粒子３を通過するが、この際に、炭素粒子３の吸着性能により、空気中に含まれる汚染物質が除去される。
【００１８】
このように、コップ状のメッシュ部材１２内に炭素粒子３を収容し、炭素粒子３に囲まれるように、メッシュ部材１２の内部にニクロム線５を配置した構成であっても、ニクロム線５によって暖められた空気が上昇気流となって、炭素粒子３間の間隙を上昇することにより、メッシュ部材１２の外部の空気が吸引されるので、実施の形態１と同様の効果を得ることができる。また、カバー部材１１によって炭素粒子３とニクロム線５とが接触しないので、ニクロム線５から発する熱によって炭素粒子３が燃焼することを防止することができる。
【００１９】
実施の形態２では、メッシュ部材１２の形状が円柱形状を有するコップ状であったが、この形態に限定するものではない。炭素粒子３を収納できればどのような形状であってもよく、例えば、多角柱形状を有するコップ形状やお椀状の形状であってもよい。
【００２０】
実施の形態１及び２では、発熱体としてニクロム線５を使用したが、熱を発するものであればどのようなものであってもよい。例えば、電球等の照明器であってもよく、照明器を発熱体として用いた場合には、空気清浄装置１及び１０自体を照明器として使用することもできる。
【符号の説明】
【００２１】
１，１０  空気清浄装置、３  炭素粒子（炭部材）、４  空間、５  ニクロム線（発熱体）、１１  カバー部材。
【図１】
2011229618.tif 000003
【図２】
2011229618.tif 000004
【図３】
2011229618.tif 000005
【図４】
2011229618.tif 000006